【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】
【請求項１】  サービストラフィックを伝送するサービスラインと、このサービスラインの予備リソースであるプロテクションラインとを具備する伝送システムにおいて、
前記サービスラインとプロテクションラインとが敷設されるセグメントを介して配設され、前記セグメントの状態によりフルリングまたはパーシャルリングのいずれかの形態をとるネットワークを形成する複数のノード装置と、
前記ネットワークに対してＯＡＭ（Operations， Administration and Maintenance）サービスを提供する監視制御装置とを具備し、
前記ネットワークは、
前記フルリングにおいてのみ動作可能なリング型機能と、前記パーシャルリングにおいては動作可能なセグメントを制限されるスパン型機能とを有し、障害の発生形態に応じていずれかの機能を動作させて前記サービストラフィックを前記プロテクションラインを利用して前記障害から救済するプロテクション機能を備え、
前記監視制御装置は、
前記複数のノード装置からそれぞれ通知される通知情報をもとに前記ネットワークの形態を認識する認識手段と、
この認識手段により認識される前記ネットワークの形態に応じて、前記セグメントごとに前記プロテクション機能のロックアウトまたはロックアウトのリリースを前記リング型機能およびスパン型機能ごとに設定するための設定メッセージを生成する設定メッセージ生成手段と、
この設定メッセージ生成手段で生成された設定メッセージを前記複数のノード装置にそれぞれ伝達する伝達手段とを備え、
前記複数のノード装置の各々は、
前記伝達手段により伝達された設定メッセージに応じて、自装置における前記プロテクション機能の設定を前記リング型機能およびスパン型機能のそれぞれごとに変更する設定変更手段を備えることを特徴とする伝送システム。
【請求項２】  前記設定メッセージ生成手段は、前記認識手段による認識の結果前記ネットワークが前記フルリングから前記パーシャルリングに変化した場合に、全てのセグメントにおいて前記リング型機能をロックアウトするコマンドと、当該パーシャルリングに属さないセグメントにおいて前記スパン型機能をロックアウトするコマンドとを含む設定メッセージを生成することを特徴とする請求項１に記載の伝送システム。
【請求項３】  前記設定メッセージ生成手段は、前記認識手段による認識の結果前記ネットワークが前記パーシャルリングから前記フルリングに変化した場合に、前記プロテクション機能のロックアウトを全てのセグメントにおいてリリースするコマンドを含む設定メッセージを生成することを特徴とする請求項１に記載の伝送システム。
【請求項４】  前記設定メッセージ生成手段は、前記認識手段による認識の結果、前記ネットワークがパーシャルリングからこのパーシャルリングとトポロジの異なるパーシャルリングに変化した場合に、当該トポロジの変化に対応する新たな設定メッセージを生成することを特徴とする請求項１に記載の伝送システム。
【請求項５】  前記監視制御装置は、
さらに、前記通知情報をもとに前記ネットワークにおける障害の発生形態を把握する把握手段と、
この把握手段により把握された障害の発生形態をユーザに報知する報知手段と、
この報知手段により報知された障害の発生形態に応じてなされる前記ユーザのドメイン指定指示を受け付ける指示受け付け手段とを備え、
前記設定メッセージ生成手段は、この指示受け付け手段を介して指定されたドメインを対象とする前記設定メッセージを生成することを特徴とする請求項１に記載の伝送システム。
【請求項６】  前記複数のノード装置により形成されるネットワークを複数備える場合に、
前記認識手段は、それぞれのネットワークごとに個別にその形態を認識し、
前記設定メッセージ生成手段は、前記認識手段により形態の認識されたそれぞれのネットワークごとに個別に前記設定メッセージを生成し、
前記設定変更手段は、前記プロテクション機能の設定をそれぞれのネットワークごとに個別に変更することを特徴とする請求項１に記載の伝送システム。
【請求項７】  前記監視制御装置は、
さらに、前記通知情報をもとに前記複数のネットワークのそれぞれにおける障害の発生形態を把握する把握手段と、
この把握手段により把握された障害の発生形態を各ネットワークごとにユーザに報知する報知手段と、
この報知手段により報知された各ネットワークごとの障害の発生形態に応じてなされる前記ユーザのドメイン指定指示を受け付ける指示受け付け手段とを備え、
前記設定メッセージ生成手段は、この指示受け付け手段を介して指定されたドメインを対象とする前記設定メッセージを生成することを特徴とする請求項６に記載の伝送システム。
【請求項８】  さらに、前記監視制御装置は表示器を備え、
前記報知手段は、前記把握手段により把握された障害の発生形態を前記表示器に表示してユーザに報知し、
前記指示受け付け手段は、前記表示器に表示されるＧＵＩ（Graphical User Interface）シンボルを介して前記ユーザのドメイン指定指示を受け付けることを特徴とする請求項５または７に記載の伝送システム。
【請求項９】  前記監視制御装置は、前記表示器における前記ＧＵＩシンボルの表示色を障害の有無に応じて変化させることを特徴とする請求項８に記載の伝送システム。
【請求項１０】  サービストラフィックを伝送するサービスラインと、このサービスラインの予備リソースであるプロテクションラインと、前記サービスラインとプロテクションラインとが敷設されるセグメントを介して配設され前記セグメントの状態によりフルリングまたはパーシャルリングのいずれかの形態をとり、前記フルリングにおいてのみ動作可能なリング型機能と、前記パーシャルリングにおいては動作可能なセグメントを制限されるスパン型機能とを有し、障害の発生形態に応じていずれかの機能を動作させて前記サービストラフィックを前記プロテクションラインを利用して前記障害から救済するプロテクション機能を備えるネットワークを形成する複数のノード装置とを具備する伝送システムに設けられ、前記ネットワークに対してＯＡＭ（Operations， Administration and Maintenance）サービスを提供する監視制御装置であって、
前記複数のノード装置からそれぞれ通知される通知情報をもとに前記ネットワークの形態を認識する認識手段と、
この認識手段により認識される前記ネットワークの形態に応じて、前記セグメントごとに前記プロテクション機能のロックアウトまたはロックアウトのリリースを前記リング型機能およびスパン型機能ごとに設定するための設定メッセージを生成する設定メッセージ生成手段と、
この設定メッセージ生成手段で生成された設定メッセージを前記複数のノード装置にそれぞれ伝達する伝達手段とを備えることを特徴とする監視制御装置。
【請求項１１】  前記設定メッセージ生成手段は、前記認識手段による認識の結果前記ネットワークが前記フルリングから前記パーシャルリングに変化した場合に、全てのセグメントにおいて前記リング型機能をロックアウトするコマンドと、当該パーシャルリングに属さないセグメントにおいて前記スパン型機能をロックアウトするコマンドとを含む設定メッセージを生成することを特徴とする請求項１０に記載の監視制御装置。
【請求項１２】  前記設定メッセージ生成手段は、前記認識手段による認識の結果前記ネットワークが前記パーシャルリングから前記フルリングに変化した場合に、前記プロテクション機能のロックアウトを全てのセグメントにおいてリリースするコマンドを含む設定メッセージを生成することを特徴とする請求項１０に記載の監視制御装置。
【請求項１３】  前記設定メッセージ生成手段は、前記認識手段による認識の結果、前記ネットワークがパーシャルリングからこのパーシャルリングとトポロジの異なるパーシャルリングに変化した場合に、当該トポロジの変化に対応する新たな設定メッセージを生成することを特徴とする請求項１０に記載の監視制御装置。
【請求項１４】  さらに、前記通知情報をもとに前記ネットワークにおける障害の発生形態を把握する把握手段と、
この把握手段により把握された障害の発生形態をユーザに報知する報知手段と、
この報知手段により報知された障害の発生形態に応じてなされる前記ユーザのドメイン指定指示を受け付ける指示受け付け手段とを備え、
前記設定メッセージ生成手段は、この指示受け付け手段を介して指定されたドメインを対象とする前記設定メッセージを生成することを特徴とする請求項１０に記載の監視制御装置。
【請求項１５】  前記複数のノード装置により形成されるネットワークを前記伝送システムが複数備える場合に、
前記認識手段は、それぞれのネットワークごとに個別にその形態を認識し、
前記設定メッセージ生成手段は、前記認識手段により形態の認識されたそれぞれのネットワークごとに個別に前記設定メッセージを生成し、
前記設定変更手段は、前記プロテクション機能の設定をそれぞれのネットワークごとに個別に変更することを特徴とする請求項１０に記載の監視制御装置。
【請求項１６】  さらに、前記通知情報をもとに前記複数のネットワークのそれぞれにおける障害の発生形態を把握する把握手段と、
この把握手段により把握された障害の発生形態を各ネットワークごとにユーザに報知する報知手段と、
この報知手段により報知された各ネットワークごとの障害の発生形態に応じてなされる前記ユーザのドメイン指定指示を受け付ける指示受け付け手段とを備え、
前記設定メッセージ生成手段は、この指示受け付け手段を介して指定されたドメインを対象とする前記設定メッセージを生成することを特徴とする請求項１５に記載の監視制御装置。
【請求項１７】  さらに、表示器を備え、
前記報知手段は、前記把握手段により把握された障害の発生形態を前記表示器に表示してユーザに報知し、
前記指示受け付け手段は、前記表示器に表示されるＧＵＩ（Graphical User Interface）シンボルを介して前記ユーザのドメイン指定指示を受け付けることを特徴とする請求項１４または１６に記載の監視制御装置。
【請求項１８】  前記表示器における前記ＧＵＩシンボルの表示色を障害の有無に応じて変化させることを特徴とする請求項１７に記載の監視制御装置。
【請求項１９】  サービストラフィックを伝送するサービスラインと、このサービスラインの予備リソースであるプロテクションラインと、前記サービスラインとプロテクションラインとが敷設されるセグメントを介して配設され前記セグメントの状態によりフルリングまたはパーシャルリングのいずれかの形態をとるネットワークを形成する複数のノード装置とを具備し、前記ネットワークが、前記フルリングにおいてのみ動作可能なリング型機能と、前記パーシャルリングにおいては動作可能なセグメントを制限されるスパン型機能とを有し障害の発生形態に応じていずれかの機能を動作させて前記サービストラフィックを前記プロテクションラインを利用して前記障害から救済するプロテクション機能を備える伝送システムに利用される前記プロテクション機能の設定更新方法であって、
前記複数のノード装置からそれぞれ通知される通知情報をもとに前記ネットワークの形態を認識する第１ステップと、
この第１ステップで認識される前記ネットワークの形態に応じて、前記セグメントごとに前記プロテクション機能のロックアウトまたはロックアウトのリリースを前記リング型機能およびスパン型機能ごとに設定するための設定メッセージを生成する第２ステップと、
この第２ステップで生成された設定メッセージを前記複数のノード装置にそれぞれ伝達する第３ステップと、
この第３ステップで伝達された設定メッセージに応じて前記複数のノード装置のそれぞれにおける前記プロテクション機能の設定を前記リング型機能およびスパン型機能のそれぞれごとに変更する第４ステップとを具備することを特徴とするプロテクション機能の設定更新方法。
【請求項２０】  さらに、前記通知情報をもとに前記ネットワークにおける障害の発生形態を把握する第５ステップと、
この第５ステップで把握された障害の発生形態をユーザに報知する第６ステップと、
この第６ステップで報知された障害の発生形態に応じてなされる前記ユーザのドメイン指定指示を受け付ける第７ステップとを備え、
前記第２ステップは、この第７ステップで指定されたドメインを対象とする前記設定メッセージを生成するステップであることを特徴とする請求項１９に記載のプロテクション機能の設定更新方法。
【請求項２１】  前記複数のノード装置により形成されるネットワークを前記伝送システムが複数備える場合に、
前記第１ステップは、それぞれのネットワークごとに個別にその形態を認識するステップであり、
前記第２ステップは、前記第１ステップで形態の認識されたそれぞれのネットワークごとに個別に前記設定メッセージを生成するステップであり、
前記第４ステップは、前記プロテクション機能の設定をそれぞれのネットワークごとに個別に変更するステップであることを特徴とする請求項１９に記載のプロテクション機能の設定更新方法。
【請求項２２】  さらに、前記通知情報をもとに前記複数のネットワークのそれぞれにおける障害の発生形態を把握する第５ステップと、
この第５ステップで把握された障害の発生形態を各ネットワークごとにユーザに報知する第６ステップと、
この第６ステップで報知された各ネットワークごとの障害の発生形態に応じてなされる前記ユーザのドメイン指定指示を受け付ける第７ステップとを備え、
前記第２ステップは、この第７ステップで指定されたドメインを対象とする前記設定メッセージを生成するステップであることを特徴とする請求項２１に記載のプロテクション機能の設定更新方法。
【請求項２３】  前記第６ステップは、前記第５ステップで把握された障害の発生形態を前記伝送システム内に設けられる表示器に表示してユーザに報知するステップであり、
前記第７ステップは、前記表示器に表示されるＧＵＩ（Graphical User Interface）シンボルを介して前記ユーザのドメイン指定指示を受け付けるステップであることを特徴とする請求項２０または２２に記載のプロテクション機能の設定更新方法。
【請求項２４】  サービストラフィックを伝送するサービスラインと、このサービスラインの予備リソースであるプロテクションラインと、障害が発生した場合に前記サービストラフィックを前記プロテクションラインを利用して前記障害から救済するプロテクション機能と、を備える伝送システムにおいて、
前記サービスラインとプロテクションラインとを介して接続されネットワークを形成する複数のノード装置と、前記ネットワークを監視制御する監視制御装置とを具備し、
前記監視制御装置は、
前記複数のノード装置からそれぞれ通知される通知情報をもとに前記ネットワークの形態を認識する認識手段と、
この認識手段により認識される前記ネットワークの形態に応じて、前記プロテクション機能の動作状態を設定するための設定メッセージを生成する設定メッセージ生成手段と、
この設定メッセージ生成手段で生成された設定メッセージを前記複数のノード装置にそれぞれ伝達する伝達手段とを備え、
前記複数のノード装置の各々は、
前記伝達手段により伝達された設定メッセージに応じて、自装置における前記プロテクション機能の動作状態の設定を変更する設定変更手段を備えることを特徴とする伝送システム。
【請求項２５】  サービストラフィックを伝送するサービスラインと、このサービスラインの予備リソースであるプロテクションラインと、障害が発生した場合に前記サービストラフィックを前記プロテクションラインを利用して前記障害から救済するプロテクション機能と、を備える伝送システムに設けられ、前記サービスラインとプロテクションラインとを介して接続される複数のノード装置により形成されるネットワークを監視制御する監視制御装置であって、
前記複数のノード装置からそれぞれ通知される通知情報をもとに前記ネットワークの形態を認識する認識手段と、
この認識手段により認識される前記ネットワークの形態に応じて、前記プロテクション機能の動作状態を設定するための設定メッセージを生成する設定メッセージ生成手段と、
この設定メッセージ生成手段で生成された設定メッセージを前記複数のノード装置にそれぞれ伝達する伝達手段とを備えることを特徴とする監視制御装置。
【請求項２６】  サービストラフィックを伝送するサービスラインと、このサービスラインの予備リソースであるプロテクションラインと、障害が発生した場合に前記サービストラフィックを前記プロテクションラインを利用して前記障害から救済するプロテクション機能と、を備える伝送システムに用いられる前記プロテクション機能の設定更新方法であって、
前記サービスラインとプロテクションラインとを介して接続される複数のノード装置からそれぞれ通知される通知情報をもとに、当該複数のノード装置により形成されるネットワークの形態を認識する第１ステップと、
この第１ステップにおいて認識される前記ネットワークの形態に応じて、前記プロテクション機能の動作状態を設定するための設定メッセージを生成する第２ステップと、
この第２ステップで生成された設定メッセージを前記複数のノード装置にそれぞれ伝達する第３ステップと、
この第３ステップで伝達された設定メッセージに応じて前記複数のノード装置のそれぞれにおける前記プロテクション機能の動作状態の設定を変更する第４ステップとを具備することを特徴とするプロテクション機能の設定更新方法。